(57)【要約】【課題】  システムの信頼性を向上させるスマートバックアップバッテリを提供する。【解決手段】  バックアップバッテリ１００はバッテリーセル１１０、コンピュータプログラムを保存する記憶媒体１２０、およびコンピュータプログラムを実行して、バッテリーセル１１０の動作状態を監視し、バッテリーセル１１０の動作状態に応じて、１つ以上の出力信号を選択的に生成するプロセッサ１３０を含む。【選択図】  図１
2016039772.tif 000002
【特許請求の範囲】
【請求項１】
バッテリーセル、
コンピュータプログラムを保存する記憶媒体、および
前記コンピュータプログラムを実行して、前記バッテリーセルの動作状態を監視し、前記バッテリーセルの動作状態に応じて、１つ以上の出力信号を選択的に生成するプロセッサを含むバックアップバッテリ。
【請求項２】
前記プロセッサは、前記バッテリーセルの使用可能な容量がその最大電池容量の８０％以下であるように設定し、前記バッテリーセルがその最大充電量の７０％に充電されたとき、前記プロセッサは、フルチャージ指示信号を出力する請求項１に記載のバックアップバッテリ。
【請求項３】
前記バッテリーセルの残り電荷量がその最大充電量の３０％以下のとき、前記プロセッサは、第１レベル信号を出力する請求項１に記載のバックアップバッテリ。
【請求項４】
前記バッテリーセルの残り電荷量がその最大充電量の５０％以下のとき、前記プロセッサは、第２レベル信号を出力する請求項１に記載のバックアップバッテリ。
【請求項５】
前記バッテリーセルが５年以上使用されているとき、前記プロセッサは、第３レベル信号を出力する請求項１に記載のバックアップバッテリ。
【請求項６】
前記バッテリーセルの電圧、電流、または温度が許容値より大きいとき、前記プロセッサは、一時障害信号を出力する請求項１に記載のバックアップバッテリ。
【請求項７】
前記バッテリーセルに接続されたヒューズが溶けたとき、前記プロセッサは、固定障害信号を出力する請求項１に記載のバックアップバッテリ。
【請求項８】
１８０日の期間が過ぎ、且つ前記バッテリーセルの残り電荷量がその最大充電量の７０％より低いとき、前記プロセッサは、前記バッテリーセルの開放電圧、自己放電率、およびインピーダンス値を校正する請求項１に記載のバックアップバッテリ。
【請求項９】
前記バッテリーセルは、電力をシステムエンドに提供し、
前記プロセッサが前記システムエンドからパワーダウン信号を受信したとき、前記プロセッサは、前記バッテリーセルを制御して、前記電力を提供するのを停止させる請求項１に記載のバックアップバッテリ。
【請求項１０】
前記プロセッサは、発光ダイオードを制御し、前記出力信号に応じて閃光信号を生成する請求項１に記載のバックアップバッテリ。
【発明の詳細な説明】
【技術分野】
【０００１】
本発明は、バックアップバッテリに関し、特に、システムの信頼性を向上させるスマートバックアップバッテリに関するものである。
【背景技術】
【０００２】
大型のシステムでは、バックアップバッテリは、システムの交流（ＡＣ）電源が停電したときにバックアップ電力を提供することができる、シンプルな無停電電源（ＵＰＳ）として用いられる。しかしながら、バックアップバッテリは、フルチャージされた状態で保たれ、且つ高温環境において動作されるため、一般のバッテリーの電池寿命より短い電池寿命を有する。従って、どのように高い信頼性を有し、長時間使用できる新たなバックアップバッテリを設計者が設計するかが重要な課題となっている。
【発明の概要】
【発明が解決しようとする課題】
【０００３】
システムの信頼性を向上させるスマートバックアップバッテリを提供する。
【課題を解決するための手段】
【０００４】
望ましい実施形態では、本発明は、バッテリーセル、記憶媒体、およびプロセッサを含むバックアップバッテリを対象にしている。記憶媒体は、コンピュータプログラムを保存するように構成される。プロセッサは、コンピュータプログラムを実行して、バッテリーセルの動作状態を監視する。プロセッサは、バッテリーセルの動作状態に応じて、１つ以上の出力信号を選択的に生成する。
【０００５】
いくつかの実施形態では、プロセッサは、バッテリーセルの使用可能な容量がその最大電池容量の８０％以下となるように設定し、バッテリーセルがその最大充電量の７０％に充電されたとき、プロセッサは、フルチャージ指示信号を出力する。いくつかの実施形態では、バッテリーセルの残り電荷量がその最大充電量の３０％以下のとき、プロセッサは、第１レベル信号を出力する。いくつかの実施形態では、バッテリーセルの残り電荷量がその最大充電量の５０％以下のとき、プロセッサは、第２レベル信号を出力する。いくつかの実施形態では、バッテリーセルが５年以上使用されているとき、プロセッサは、第３レベル信号を出力する。いくつかの実施形態では、バッテリーセルの電圧、電流、または温度が許容値より大きいとき、プロセッサは、一時障害信号を出力する。いくつかの実施形態では、バッテリーセルに接続されたヒューズが溶けたとき、プロセッサは、固定障害信号を出力する。いくつかの実施形態では、１８０日の期間が過ぎ、且つバッテリーセルの残り電荷量がその最大充電量の７０％より低いとき、プロセッサは、バッテリーセルの開放電圧、自己放電率、およびインピーダンス値を校正する。いくつかの実施形態では、バッテリーセルは、電力をシステムエンドに提供し、プロセッサがシステムエンドからパワーダウン信号を受信したとき、プロセッサは、バッテリーセルを制御して、電力を提供するのを停止させる。いくつかの実施形態では、プロセッサは、発光ダイオードを制御し、出力信号に応じて閃光信号を生成する。
【図面の簡単な説明】
【０００６】
添付の図面とともに以下の本発明の様々な実施形態の詳細な説明を検討することで、本発明はより完全に理解できる。
【図１】本発明の実施形態に係るバックアップバッテリの図である。
【図２】本発明の実施形態に係るバックアップバッテリの図である。
【図３】本発明の実施形態に係るバックアップバッテリの充電プロセスのフローチャートである。
【図４Ａ】本発明の実施形態に係るバックアップバッテリの放電プロセスのフローチャートである。
【図４Ｂ】本発明の実施形態に係るバックアップバッテリの放電プロセスのフローチャートである。
【図５】本発明の実施形態に係るバックアップバッテリの校正プロセスのフローチャートである。
【発明を実施するための形態】
【０００７】
本発明の実施形態の目的、特徴、および利点を示すために、本発明の実施形態および図が以下に詳述される。
【０００８】
図１は、本発明の実施形態に係るバックアップバッテリ１００の図である。バックアップバッテリ１００は、大型のシステムまたはポイントオブセールス（ＰＯＳ）システムに応用され、バックアップ電力を提供するのに用いられることができる。図１に示されるように、バックアップバッテリ１００は、バッテリーセル１１０、記憶媒体１２０、およびプロセッサ１３０を含む。バッテリーセル１１０は、直列接続された複数の蓄電素子を含むことができ、一般的なバッテリー充電またはバッテリー放電の機能を実行するのに用いられることができる。記憶媒体１２０は、コンピュータプログラムを保存するレジスタまたはメモリであることができる。プロセッサ１３０は、記憶媒体１２０のコンピュータプログラムを実行し、バッテリーセル１１０の動作状態を監視することができる。プロセッサ１３０は、バッテリーセル１１０の動作状態に応じて、１つ以上の出力信号ＳＥを選択的に生成することができるため、バックアップバッテリ１００に接続されたシステムは、出力信号ＳＥに応じて、バッテリーセル１１０の動作状態の情報を得ることができる。
【０００９】
図２は、本発明の実施形態に係るバックアップバッテリ２００の図である。図２は、より詳細にバックアップバッテリ２００のインナー構造を更に詳述する。図２の実施形態では、バックアップバッテリ２００は、バッテリーセル１１０、記憶媒体１２０、およびプロセッサ１３０、充電スイッチ１４０、放電スイッチ１５０、検出抵抗器１６０、およびヒューズ１７０を含む。バッテリーセル１１０、記憶媒体１２０、およびプロセッサ１３０は、図１の実施形態に説明されている。充電スイッチ１４０と放電スイッチ１５０の各々は、金属酸化物半導体電界効果トランジスタ（ＭＯＳＦＥＴ）で実行されることができる。プロセッサ１３０は、充電スイッチ１４０と放電スイッチ１５０を切り換えることでバックアップバッテリ２００の電源モードを制御する。プロセッサ１３０は、検出抵抗器１６０の電圧および電流を監視することによって、バッテリーセル１１０の電圧および電流の情報を更に得る。ヒューズ１７０は、バッテリーセル１１０が過大な電流をローディングし、破損されることから防ぐように構成される。いくつかの実施形態では、バックアップバッテリ２００は、環境温度を検出する温度計（図示されていない）を更に含む。
【００１０】
いくつかの実施形態では、バックアップバッテリ２００は、システムエンド２２０に接続される。システムエンド２２０は、大型のシステムまたはＰＯＳシステムであることができる。通常、システムエンド２２０は、ＡＣ電力供給源２３０によって供給される。ＡＣ電力供給源２３０に電源遮断の事態が起った場合、バックアップバッテリ２００は、バックアップ電力をシステムエンド２２０に供給し、最終のデータ保存のために用いられる。より具体的に言えば、バックアップバッテリ２００の正出力端子ＴＰと負出力端子ＴＮは、共にシステムエンド２２０に接続されるため、これらの端子は、それらの間にバックアップ出力電圧差を提供する。また、バックアップバッテリ２００のデータ伝送端末ＤＡＴＡとクロック伝送端末ＣＬＫもシステムエンド２００に接続され、システムエンド２２０は、これらの伝送端末によって信号コンテンツをバックアップバッテリ２００と通信し、交換することができる。システムエンド２２０は、通常、高温で密閉された環境に置かれるため、使用されていないバックアップバッテリ２００は、常にフルパワー状態に保たれ、この環境条件は、バックアップバッテリ２００の使用時間を短縮させ易い。上述の問題を解決するために、本発明は、バックアップバッテリ２００のプロセッサ１３０が自動的にバッテリーセル１１０に関連して出力信号ＳＥを出力するようにさせるスマートな設計を提供する。これにより、システムエンド２２０は、出力信号ＳＥを分析し、バッテリーセル１１０の動作状態の情報を得ることができる。バッテリーセル１１０が老化している、または容量が不十分である場合、システムエンド２２０は、そのことを知らせ、事前に必要な準備をする。いくつかの実施形態では、プロセッサ１３０は、表示装置に更に接続され、表示装置は、出力信号ＳＥに応じてバッテリーセルの動作状態の情報を表示する。もう１つの実施形態では、プロセッサ１３０は、発光ダイオード（ＬＥＤ）１８０を制御し、出力信号ＳＥに応じて閃光信号を生成する。操作者は、表示装置またはＬＥＤに表示されたメッセージを読むことでバックアップバッテリ２００が修理または交換を必要とするかどうかを知ることができる。
【００１１】
以下の実施形態は、プロセッサ１３０によって出力される種々の出力信号ＳＥを説明している。理解すべきは、本実施形態は単に例示的なものであり、本発明に限定されるものではないことである。
【００１２】
プロセッサ１３０の出力信号ＳＥは、フルチャージ信号、第１レベル信号、第２レベル信号、第３レベル信号、一時障害信号、および固定障害信号を含む。安全マージンを増加させるために、バッテリーセル１１０は、ダウングレードされて用いられることができ、プロセッサ１３０は、バッテリーセル１１０の使用可能な容量がその最大電池容量の８０％以下となるように設定することができる。例えば、バッテリーセル１１０が２８００ｍＡｈ（ミリアンペア時）の最大電池容量を有する場合、プロセッサ１３０は、バッテリーセル１１０の使用可能な容量を２２００ｍＡｈ（２２００／２８００＝７８.６％＜８０％）に設定することができる。言い換えれば、バッテリーセル１１０の最大充電量は、２８００ｍＡｈでなく、２２００ｍＡｈとなる。バッテリーセル１１０がその最大充電量の７０％に充電されたとき、プロセッサ１３０は、フルチャージ指示信号を出力する。この７０％のフルチャージ指示は、バックアップバッテリ２００が従来の電池と同様に、その最大充電量の９５％に充電されることから防ぐことができる。このため、本発明のバックアップバッテリ２００は、より長い使用時間を有することができる。もう１つの実施形態は、７０％のフルチャージ指示は、８０％または６０％のフルチャージ指示と置き換えることができ、同様のレベルの効果も得ることができる。プロセッサ１３０は、内蔵カウンタを含むことができる。バッテリーセル１００が５年以上使用されている（またはバッテリーセル１１０が工場から出荷されて５年を超えている）とカウンタが示したとき、プロセッサ１３０は、第３レベル信号（レベル３）を出力する。プロセッサ１３０は、バッテリーセル１１０の残り電荷量を更に監視することができる。バッテリーセル１１０の残り電荷量がその最大充電量の５０％以下のとき、プロセッサ１３０は、第２レベル信号（レベル２）を出力する。また、バッテリーセル１１０の残り電荷量がその最大充電量の３０％以下のとき、プロセッサ１３０は、第１レベル信号（レベル１）を出力する。上述のレベル信号は、操作者にバッテリーセル１１０の安全条件を知らせるように用いられる。高いレベルから低いレベルの優先順序は、第１レベル信号、第２レベル信号と、第３レベル信号である。例えば、プロセッサ１３０が第１レベル信号を出力した場合、バッテリーセ
ル１１０の残り電荷量は、システムエンド２２０が最終のデータ保存のプロセスを実行するのに十分でなく、操作者は、即時にバックアップバッテリ２００を置き換えてデータロスを避けるようにしなければならないということを意味する。一方、バッテリーセル１１０の電圧、電流、または温度が許容値より大きいとき、プロセッサ１３０は、一時障害信号を出力し、バックアップバッテリ２００が回復をする間、使用を一時中止しなければならないことを示す。バッテリーセル１１０に接続されたヒューズ１７０が溶けたとき、プロセッサ１３０は、固定障害信号を出力し、バックアップバッテリ２００が破損されて再使用不可となっていることを示す。バッテリー状態および出力信号を監視する上述のステップは、適切なコンピュータプログラムコードを記憶媒体１２０内に書き込み、そのコンピュータプログラムコードをプロセッサ１３０で実行することによって行われることができる。もう１つの実施形態では、記憶媒体１２０、プロセッサ１３０、およびコンピュータプログラムコードは、特定の組合せ論理回路とシーケンス回路で実施される。
【００１３】
いくつかの実施形態では、ＬＥＤ１８０は、表１のように異なる出力信号ＳＥを表示する。
【表１】
2016039772.tif 000003
【００１４】
もう１つの実施形態では、システムエンド２２０は、表２に示されるように異なる出力信号ＳＥを表示する。
【表２】
2016039772.tif 000004
【００１５】
図３は、本発明の実施形態に係るバックアップバッテリ２００の充電プロセスのフローチャートである。まず、ステップＳ３０２では、バックアップバッテリ２００は、システムエンド２２０に接続される。ステップＳ３０４では、システムエンド２２０は、データ伝送端末ＤＡＴＡによって信号を伝送し、バックアップバッテリ２００が通信可能であるかどうかをチェックする。可能な場合、ステップＳ３０６では、システムエンド２２０は、バックアップバッテリ２００にプリチャージプロセスを行う。次に、ステップＳ３０８では、システムエンド２２０は、バックアップバッテリ２００に通常の充電プロセスを行い、データ伝送端末ＤＡＴＡによって、バックアップバッテリ２００との通信を続行する（例えば、システムエンド２２０は、システム信号ＳＩをバックアップバッテリ２００に送信することができ、バックアップバッテリ２００は、１つ以上の出力信号ＳＥをシステムエンド２２０に送信して互いに通信することができる）。ステップＳ３１０では、システムエンド２２０は、一時障害信号がバックアップバッテリ２００から受信されたかどうかをチェックする。受信される場合、ステップＳ３１２では、システムエンド２２０は、バックアップバッテリ２００への充電を一時的に停止し、手順は、ステップＳ３０８に戻る。受信されない場合、ステップＳ３１４では、システムエンド２２０は、固定障害信号がバックアップバッテリ２００から受信されたかどうかチェックする。受信される場合、ステップＳ３１８では、システムエンド２２０は、バックアップバッテリ２００が破損されて再使用不可であるかどうかを判定する。受信されない場合、ステップＳ３２０では、システムエンド２２０は、フルチャージ指示信号がバックアップバッテリ２００から受信されたかどうかをチェックする。受信されない場合、手順は、ステップＳ３０８に戻る。受信される場合、ステップＳ３２２では、システムエンド２２０は、充電プロセスが完了したかを判定する。一方、仮にステップＳ３０４でシステムエンド２２０がバックアップバッテリ２００が通信不能であると判定した場合、ステップＳ３２４では、システムエンド２２０は、バックアップバッテリ２００に起動プロセスを行う。次に、ステップＳ３２６では、システムエンド２２０は、バックアップバッテリ２００が通信可能であるかどう
かを再チェックする。可能である場合、手順はステップＳ３０６に進む。可能でない場合、ステップＳ３２８では、システムエンド２２０は、バックアップバッテリ２００が待機時間よりも長い期間、通信不能であったかどうかをチェックする。通信不能でなかった場合、手順は、ステップＳ３２４に戻る。通信不能であった場合、ステップＳ３１８では、システムエンド２２０は、バックアップバッテリ２００が破損されて再使用不可であるかどうかを判定する。いくつかの実施形態では、システムエンド２２０およびバックアップバッテリ２００は、無停電電源システムを形成し、システムエンド２２０は、コンピュータプログラムコードを保存するシステム記憶媒体と、プログラムを実行するシステムプロセッサを更に含んで、本発明の各ステップを行う。
【００１６】
図４Ａ、図４Ｂは、本発明の実施形態に係るバックアップバッテリの放電プロセスのフローチャートである。まず、ステップＳ４０２では、バックアップバッテリ２００は、放電を始める。この時、バックアップバッテリ２００はシステムエンド２２０に接続されていなければならない。ステップＳ４０４では、バックアップバッテリ２００のプロセッサは、ＡＣ電力供給源２３０が存在し、正常に機能するかどうかをチェックする。正常に機能する場合、ステップＳ４０６では、システムエンド２２０は、バックアップバッテリ２００に充電プロセスを行う。充電プロセスは、図３の実施形態で説明されている。正常に機能しない場合、ステップＳ４０８では、プロセッサ１３０は、バッテリーセル１１０の残り電荷量が０％以上であるかどうかをチェックする。０％以上でない場合、ステップＳ４１０では、プロセッサ１３０は、バックアップバッテリ２００が使用可能でないことをシステムエンド２２０に知らせる。０％以上である場合、ステップＳ４１２では、プロセッサ１３０は、パワーダウン信号がシステムエンド２２０から受信されたかどうかをチェックする。０％以上である場合、ステップＳ４０６では、プロセッサ１３０は、バッテリーセル１１０を制御して、電力を提供するのを停止させ、システムエンド２２０は、充電プロセスをバックアップバッテリ２００に行う。０％以上でない場合、ステップＳ４１４では、プロセッサ１３０は、データ伝送端末ＤＡＴＡによって、システムエンド２２０と通信をする（例えば、システムエンド２２０は、システム信号ＳＩをバックアップバッテリ２００に送信することができ、バックアップバッテリ２００は、１つ以上の出力信号ＳＥをシステムエンド２２０に送信して互いに通信することができる）。いくつかの実施形態では、システムエンド２２０がバックアップバッテリ２００の電力を用いて最終のデータ保存プロセスを完了したとき、システムエンド２２０は、パワーダウン信号をバックアップバッテリ２００に送信し、放電プロセスを停止させる。次いで、バックアップバッテリ２００は、充電状態に回復することができる。ステップＳ４１６では、システムエンド２２０は、一時障害信号または固定障害信号がバックアップバッテリ２００から受信されたかどうかチェックする。一時障害信号が受信される場合、ステップＳ４１８では、シス
テムエンド２２０は、バックアップバッテリ２００を制御し、放電を一時的に停止し、手順は、ステップＳ４１４に戻る。固定障害信号が受信された場合、ステップＳ４２０では、システムエンド２２０は、バックアップバッテリ２００が破損されて再使用不可であるかどうかを判定する。異常信号が受信されなかった場合、ステップＳ４２２では、システムエンド２２０は、第１レベル信号、第２レベル信号、または第３レベル信号がバックアップバッテリ２００から受信されたかどうかをチェックする。第２レベル信号または第３レベル信号が受信された場合、またはどのレベル信号も受信されなかった場合、これは、バッテリーセル１１０が正常であるか、老化しているか、または充電量が不十分であるが、使用可能であるということを意味しており、その手順は、ステップＳ４１４に戻る。第１レベル信号が受信された場合、バックアップバッテリ２００の残り電荷量が最終のデータ保存のプロセスを完了するのに十分でないことを示しており、ステップＳ４２４では、システムエンド２２０は、バックアップバッテリ２００を電源遮断する。
【００１７】
図５は、本発明の実施形態に係るバックアップバッテリ２００の校正プロセスのフローチャートである。まず、ステップＳ５０２では、バックアップバッテリ２００のプロセッサ１３０は、定期校正プロセスを始める。ステップＳ５０４では、プロセッサ１３０は、１８０日の期間が過ぎ、且つバッテリーセル１１０の残り電荷量がその最大充電量の７０％より低いかどうかチェックする。例えば、プロセッサ１３０の内蔵カウンタは、１８０日の期間をカウントすることができる。７０％より低くない場合、ステップＳ５０６では、プロセッサ１３０は、定期校正プロセスを停止する。７０％より低い場合、ステップＳ５０８では、プロセッサ１３０は、バッテリーセル１１０の使用時間に応じてバッテリーセル１１０の開放電圧を校正する。いくつかの実施形態では、バッテリーセル１１０の使用時間が比較的長い場合、プロセッサ１３０は、バッテリーセル１１０の開放電圧を低下させることができ、バッテリーセル１１０の使用時間が比較的短い場合、プロセッサ１３０は、バッテリーセル１１０の開放電圧を上昇させることができる。使用時間と開放電圧との関係は、記憶媒体１２０に保存される第１のデータベースによって定めることができる。次に、ステップＳ５１０では、プロセッサ１３０は、環境温度に応じてバッテリーセル１１０の自己放電率を校正する。いくつかの実施形態では、環境温度が比較的高い場合、プロセッサ１３０は、バッテリーセル１１０の自己放電率を上昇させることができ、環境温度が比較的低い場合、プロセッサ１３０は、バッテリーセル１１０の自己放電率を低下させることができる。環境温度と自己放電率との関係は、記憶媒体１２０に保存される第２のデータベースによって定めることができる。次に、ステップＳ５１２では、プロセッサ１３０は、環境温度とバッテリーセル１１０の残り電荷量に応じてバッテリーセル１１０のインピーダンス値を校正する。いくつかの実施形態では、環境温度が比較的低い場合、プロセッサ１３０は、バッテリーセル１１０のインピーダンス値を上昇させることができ、環境温度が比較的高い場合、プロセッサ１３０は、バッテリーセル１１０のインピーダンス値を低下させることができる。また、バッテリーセル１１０の残り電荷量が比較的高い場合、プロセッサ１３０は、バッテリーセル１１０のインピーダンス値を低下させ
ることができ、バッテリーセル１１０の残り電荷量が比較的低い場合、プロセッサ１３０は、バッテリーセル１１０のインピーダンス値を上昇させることができる。環境温度、残り電荷量、およびインピーダンス値との間の関係は、記憶媒体１２０に保存される第３のデータベースによって定めることができる。最後に、ステップＳ５１４では、プロセッサ１３０は、内蔵カウンタをリセットし、１８０日の期間のカウントを再開し、ステップＳ５１６では、プロセッサ１３０は、システムエンド２２０に知らせ、充電プロセスを行う。上述の校正プロセスは、約半年毎に行われることができ、バッテリーセル１１０の関連パラメータが許容範囲内に保持されるようにすることができる。
【００１８】
本発明は、その自身の状態に応じてそのバッテリー状態の情報をシステムエンドに自動的に出力できるスマートバックアップバッテリを提供する。従って、システムエンドとオペレーターは、動作状態を理解し、バックアップバッテリが老化しているか、またはその通常の使用時間を超えていて正常に機能できないというリスクを減少することができる。また、上述の充電、放電、および校正プロセスを行うことによって、バックアップバッテリは、その使用時間の間、良好に監視され、良好な性能に維持される。
【００１９】
注意すべきは、上述のパラメータは、本発明に限定されるものではない。設計者は、異なる要求に応じてこれらの設定または値を調整することができる。本発明のバックアップバッテリは、図１〜図５の構成に限定されるものではないということが理解されている。本発明は、単に図１〜図５の任意の１つ以上の実施形態の任意の１つ以上の特徴を含むことができる。言い換えれば、図に示された全ての図が本発明のバックアップバッテリに実施されるものではないとうことである。
【００２０】
本発明の方法、または特定の態様またはその部分は、例えば、フロッピー（登録商標）ディスク、ＣＤ−ＲＯＭＳ、ハードドライブ、または任意の他のコンピュータ読取可能記憶媒体などの有形的表現媒体に具現化されるプログラムコード（即ち、実行可能命令）の形式を取ることができ、プログラムコードがコンピュータなどの機械によってローディングされて実行されたとき、機械は、前記方法を実践する装置となる。前記方法は、光ファイバーによって、電線またはケーブルなどのいくつかの伝送媒体に伝送されるプログラムコードの形式で、または任意の他の伝送の形式で具現化されることもでき、プログラムコードがコンピュータなどの機械によって受け取られ、ローディングされて実行されたとき、機械は、前記方法を実践する装置となる。汎用プロセッサに実施されたとき、プログラムコードは、プロセッサと組み合わさり、特定用途向け論理回路に類似して動作する特有の装置を提供する。
【００２１】
明細書における「第１の」、「第２の」、「第３の」等の序数詞の使用は、それ自体が優先度、序列、又は順序を示唆するものではなく、むしろ、単に２つ以上の特徴、要素、項目等を区別するためのラベルとして使用している。クレーム要素を変えるための、請求項における「第１の」、「第２の」、「第３の」等の序数詞の使用は、それ自体が、１つのクレーム要素を他のクレーム要素と比較して優先度、序列、又は順序、もしくは方法を実施する行為の時間的順序を示唆するものではなく、むしろ、単にクレーム要素を区別するために、特定の名前を有する１つのクレーム要素を同じ名前を有する他の要素から区別するためのラベルとして（だけ、序数詞を）使用している。
【００２２】
以上、実施例を示して本発明を説明しているが、当業者は、本発明の思想と技術的範囲から逸脱しない種々の修正及び変更を行い得る。実施形態および実施例は、例示的なものであるに過ぎず、本発明の範囲は、以下の請求項及びその均等のものによって規定されて保護される。
【符号の説明】
【００２３】
１００、２００  バックアップバッテリ
１１０  バッテリーセル
１２０  記憶媒体
１３０  プロセッサ
１４０  充電スイッチ
１５０  放電スイッチ
１６０  検出抵抗器
１７０  ヒューズ
１８０  発光ダイオード
２２０  システムエンド
２３０  ＡＣ電力供給源
ＤＡＴＡ  データ伝送端末
ＣＬＫ  クロック伝送端末
ＳＥ  出力信号
ＳＩ  システム信号
ＴＰ  バックアップバッテリの正出力端子
ＴＮ  バックアップバッテリの負出力端子
【図１】
2016039772.tif 000005
【図２】
2016039772.tif 000006
【図３】
2016039772.tif 000007
【図４Ａ】
2016039772.tif 000008
【図４Ｂ】
2016039772.tif 000009
【図５】
2016039772.tif 000010